(57)【要約】      （修正有）【課題】カメラに搭載される太陽電池が効率よく発電できるようにする。【解決手段】絞り装置４は、対物レンズ３とＣＣＤ２２との間に位置し、複数の可動羽根と、可動羽根の一方の面に受光部が設けられた太陽電池と、太陽電池により発生する起電力を出力する出力部３４とを備えている。また、出力部３４からカメラ本体２の端子を介してバッテリ２３に接続されており、絞り装置４が作動していないとき、太陽電池はバッテリ２３を充電する。【選択図】図１
2008040216.tif 000002
【特許請求の範囲】
【請求項１】
可動羽根と、
前記可動羽根の一方の面に受光部が設けられた太陽電池と、
前記太陽電池により発生する起電力を出力する出力部と
を備えていることを特徴とする絞り装置。
【請求項２】
請求項１記載の絞り装置と、
対物レンズとを備え、
前記可動羽根の前記一方の面は、前記対物レンズが設けられた側の面であることを特徴とするレンズ鏡筒。
【請求項３】
対物レンズと、
前記対物レンズと撮像面との間に設けられた絞り装置と、充電可能なバッテリとを備え、
前記絞り装置は、可動羽根と、前記可動羽根の前記対物レンズが設けられた側の面に受光部が設けられた太陽電池と、前記太陽電池により発生する起電力を前記バッテリへ出力する出力部とを有することを特徴とするカメラ。
【請求項４】
請求項３に記載のカメラにおいて、
前記絞り装置は、電源がオフ状態のときに前記可動羽根を閉じた状態にする制御部を有することを特徴とするカメラ。
【請求項５】
請求項３に記載のカメラにおいて、
シャッタボタンが押されていないときに前記可動羽根を閉じた状態にする制御部を有することを特徴とするカメラ。
【発明の詳細な説明】
【技術分野】
【０００１】
この発明は絞り装置、レンズ鏡筒、カメラに関する。
【背景技術】
【０００２】
従来、太陽電池を設けたカメラとして前カバーの撮影窓の周囲を取り囲むように太陽電池を設けたものが知られている（下記特許文献１参照）。
【特許文献１】特開２００１−１３６４１号公報（段落０００８、図３参照）
【発明の開示】
【発明が解決しようとする課題】
【０００３】
上述のような従来のカメラにおいては、太陽電池で得られる電力量は多くないので、大きな太陽電池を必要とし、その結果、コストアップの要因となるという問題があった。
【０００４】
この発明はこのような事情に鑑みてなされたもので、その課題はカメラに搭載される太陽電池が効率よく発電できるようにすることである。
【課題を解決するための手段】
【０００５】
前述の課題を解決するため請求項１の発明の絞り装置は、可動羽根と、前記可動羽根の一方の面に受光部が設けられた太陽電池と、前記太陽電池により発生する起電力を出力する出力部とを備えていることを特徴とする。
【０００６】
請求項２の発明のレンズ鏡筒は、請求項１記載の絞り装置と、対物レンズとを備え、前記可動羽根の前記一方の面は、前記対物レンズが設けられた側の面であることを特徴とする。
【０００７】
請求項３の発明のカメラは、対物レンズと、前記対物レンズと撮像面との間に設けられた絞り装置と、充電可能なバッテリとを備え、前記絞り装置は、可動羽根と、前記可動羽根の前記対物レンズが設けられた側の面に受光部が設けられた太陽電池と、前記太陽電池により発生する起電力を前記バッテリへ出力する出力部とを有することを特徴とする。
【０００８】
請求項４の発明は、請求項３に記載のカメラにおいて、前記絞り装置は、電源がオフ状態のときに前記可動羽根を閉じた状態にする制御部を有することを特徴とする。
【０００９】
請求項５の発明は、請求項３に記載のカメラにおいて、シャッタボタンが押されていないときに前記可動羽根を閉じた状態にする制御部を有することを特徴とする。
【発明の効果】
【００１０】
この発明によれば、太陽電池が効率よく発電できる。
【発明を実施するための最良の形態】
【００１１】
以下、この発明の実施の形態を図面に基づいて説明する。
【００１２】
図１はこの発明の一実施形態に係るカメラを斜め前方から見た状態を示す概念図、図２は図１に示すカメラを正面から見た状態を示す概念図、図３は図１に示すカメラの絞り装置の正面図である。
【００１３】
図１〜３に示すように、カメラはカメラ本体２とレンズ鏡筒３とを備え、いわゆるデジタルカメラである。
【００１４】
カメラ本体２は筐体２１の内部に撮像素子であるＣＣＤ（Ｃｈａｒｇｅ−ｃｏｕｐｌｅｄ  ｄｅｖｉｃｅ）２２とバッテリ２３とを有する。
【００１５】
筐体２１はＣＣＤ２２とバッテリ２３とを収容する。
【００１６】
ＣＣＤ２２は後述の対物レンズ３１の光軸上に配置されている。
【００１７】
バッテリ２３はＣＣＤ２２、シャッタ駆動用モータ（図示せず）、制御装置（図示せず）等の電源である。
【００１８】
レンズ鏡筒３は対物レンズ３１と絞り装置４とコンデンサ３３と接続端子３４と絞り駆動用モータ３５とを有する。レンズ鏡筒３はカメラ本体２に脱着可能に装着されている。
【００１９】
対物レンズ３１はレンズ鏡筒３の先端部に位置し、被写体の光学像をＣＣＤ２２の受光面上に結像させる。
【００２０】
絞り装置４は、対物レンズ３１とＣＣＤ２２との間に位置する。絞り装置４は、複数の可動羽根４１と、絞り環４３と、複数の太陽電池とを有する。絞り羽根４１のそれぞれには軸ピン４１ａが突設されており、それぞれに絞り羽根４１は、軸ピン４１ａを介して、絞り環４３に設けられた孔に回動可能に支持されている。不図示の可動羽根駆動機構により、軸ピン４１ａを中心として可動羽根４１を回動させることにより、絞り環４３の開口４３ａを開放状態から閉状態まで所望の状態にすることができ、対物レンズ３１からＣＣＤ２２へ達する光の量を制限することができる。可動羽根駆動機構については、従来より周知である。
【００２１】
複数の太陽電池４２は、複数の受光部４２ａとリード部（出力部）４２ｂ（図２参照）とを有する。太陽電池４２は、絞り駆動用モータ３５の電源として用いられるが、絞り装置４が作動していないとき、太陽電池４２はバッテリ２３を充電する。
【００２２】
複数の受光部４２ａは、それぞれ可動羽根４１の対物レンズ３１側の面（一面）に配置されている。したがって、受光部４２ａには対物レンズ３１によって集光された光が照射される。複数の受光部４２ａは、互いに直列に接続されている。リード部４２ｂは、コンデンサ３３に接続されている。コンデンサ３３は接続端子３４を介して絞り駆動用モータ３５に接続されている。また、接続端子３４は、カメラ本体２側の端子（図示せず）を介してバッテリ２３に接続されている。このような構成により、太陽電池４２での発電によって生じる電圧がコンデンサ３３に印加され、電荷がコンデンサ３３に蓄積される。この電荷による電気エネルギーにより接続されている絞り駆動用モータ３５が駆動され、また、バッテリ２３が充電される。
【００２３】
絞り駆動用モータ３５は太陽電池４２を電源として作動する。太陽電池４２の発電量が多くないとき、絞り駆動用モータ３５はバッテリ２３を電源として作動する。
【００２４】
従来のカメラでは、電源がオフのとき、また電源がオンでも図示しないシャッタボタンが押されていないとき、絞り装置４は開いた状態になっている。そしてシャッタボタンが半押しされたとき、絞り装置４は僅かに閉じる方向へ動作され、測光が行われる。そしてその状態から更にシャッタボタンが押されると、測光時に測定された露光過剰分だけ絞りが閉じられる（或は露光不足分だけ絞り装置４が開かれる）が、この実施形態では、従来のカメラのシーケンスとは逆のシーケンスが行われる。
【００２５】
以下、この実施形態のカメラについて具体的に説明する。
【００２６】
カメラの電源がオフの場合、または、電源がオンの場合であってもシャッタボタンが押されていない場合、絞り装置４は閉じた状態（可動羽根４１によって対物レンズ３１からの光が最大限遮光された状態）になっている。したがって、この状態では、対物レンズ３１からの光の大半が太陽電池４２の受光部４２ａに照射され、効率よく発電がなされ、太陽電池４２で発生された電力によってバッテリ２３が充電される。シャッタボタンが半押しされると、絞り装置４は僅かに開いた状態となり、測光が行われる。このとき、絞り装置４、図示しない自動焦点装置、測光装置等が作動するが、シャッタが作動しない状態となる。ここで、開いた状態とは、前述の閉じた状態から、絞り装置４の可動羽根４１が作動し、遮光される部分が減り、対物レンズ３１からの光がより多く通過する状態である。
【００２７】
その状態から、さらにシャッタボタンがさらに押されると、測光時に測光された露光不足分だけ絞り装置４はさらに開き（あるいは、露光過剰分だけ絞り装置４は閉じる方向に作動し）、その後シャッタが作動する。そして、シャッタが作動した後、絞り装置４は閉じた状態となる。
【００２８】
この実施形態によれば、太陽電池４２の受光部４２ａに対物レンズ３１によって集光された太陽光等の光が照射されるので、太陽電池によって効率よく発電がなされる。このため、同じ発電量を得る場合、より小さな太陽電池を用いることができ、この結果、カメラのコストダウンを図ることができる。
【００２９】
なお、この実施形態では、太陽電池４２は絞り駆動用モータ３５用であるが、太陽電池４２によって発生した電力の使い道はこれに限られず、例えば、シャッタ駆動用モータ（図示せず）に用いてもよい。また、本実施形態のカメラは、デジタルカメラであるが、銀塩カメラであってもよい。
【図面の簡単な説明】
【００３０】
【図１】図１はこの発明の一実施形態に係るカメラを斜め前方から見た状態を示す概念図である。
【図２】図２は図１に示すカメラを正面から見た状態を示す概念図である。
【図３】図３は図１に示すカメラの絞り装置の正面図である。
【符号の説明】
【００３１】
３：レンズ鏡筒、３１：対物レンズ、４：絞り装置、４１：可動羽根、４２：太陽電池、４２ａ：受光部、４２ｂ：リード部（出力部）。
【図１】
2008040216.tif 000003
【図２】
2008040216.tif 000004
【図３】
2008040216.tif 000005